(57)【特許請求の範囲】
【請求項１】
カラオケ端末と、複数の利用者の歌唱に関する歌唱履歴を含む利用者情報をそれぞれの利用者ＩＤと共に記憶する記憶手段を備えるサーバとが通信可能に接続されたカラオケシステムであって、
前記カラオケ端末は、
利用者の利用者ＩＤを取得してログインを受け付けるログイン手段と、
前記取得した利用者ＩＤに基づいて前記サーバより前記記憶手段に記憶されている当該利用者の情報を取得する利用者情報取得手段と、
最初の利用者がログインした後にカラオケ演奏が実行されない無演奏状態の時間を計測する計時手段と、
前記取得した利用者毎の利用者情報の歌唱履歴に基づいて、履歴内容を比較して歌唱する可能性の高い利用者を順に歌唱者とする歌唱指名順位を決定し、各利用者の歌唱した所定の楽曲を推奨曲としてそれぞれ特定すると共に、歌唱者及び推奨曲を紹介する内容を生成して再生順位リストを作成する無演奏時再生特定処理手段と、
前記計時手段により無演奏状態の時間が所定時間に達した場合、前記再生順位リストに基づいて順位に従った前記歌唱者及び推奨曲を紹介する内容を報知すると共に、当該推奨曲のカラオケ演奏を開始させる報知再生処理手段と、
を有することを特徴とするカラオケシステム。
【請求項２】
請求項１記載のカラオケシステムであって、
前記サーバの備える記憶手段は、利用者情報の歌唱履歴として少なくとも各利用者の過去の歌唱に関する歌唱日時を記憶し、
前記カラオケ端末の無演奏時再生特定処理手段は、前記歌唱履歴中の、各利用者の全歌唱回数、各利用者の所定期間の歌唱回数、各利用者の歌唱時刻に係る情報、の少なくともいずれかに基づいて歌唱する可能性の高い利用者を順に歌唱者とする歌唱指名順位を決定することを特徴とする請求項１に記載のカラオケシステム。
【請求項３】
請求項１又は２記載のカラオケシステムであって、
前記サーバの備える記憶手段は、利用者情報の歌唱履歴としてさらに各利用者の過去の歌唱に関する採点結果を記憶すると共に、利用者の登録する得意曲を記憶し、
前記カラオケ端末の無演奏時再生特定処理手段は、前記歌唱履歴中の、各利用者の得意曲に関する情報、楽曲毎の歌唱回数、各歌唱における採点結果、の少なくともいずれかに基づいて、前記決定した歌唱者が歌唱する前記推奨曲を特定することを特徴とするカラオケシステム。
【請求項４】
請求項１〜３の少なくとも何れかに記載のカラオケシステムであって、
前記カラオケ端末は、前記無演奏時再生特定処理手段が生成した歌唱者及び推奨曲の歌唱楽曲を紹介する内容の音声信号を合成する音声合成手段を備え、当該歌唱楽曲のカラオケ演奏の開始と共に放音させることを特徴とするカラオケシステム。
【発明の詳細な説明】
【技術分野】
【０００１】
本発明は、カラオケ歌唱空間での歌唱を促して無演奏状態を回避させるカラオケシステムに関する。
【背景技術】
【０００２】
近年、飲食店などではカラオケ装置として業務用通信カラオケ端末を備え、飲食する利用者にカラオケサービスを提供しているところも少なくない。このような業務用通信カラオケ端末を設置している飲食店などにおいては、開店後あるいはカラオケ歌唱タイム開始後、利用者としては何となく一番に歌唱し難く最初の１曲が歌唱されるまで、カラオケ演奏の予約がなかなか入らないこともしばしばあることから、好適な歌唱曲を推奨して賑やかに歌唱し易い雰囲気を作り出すことが望まれる。
【０００３】
従来、歌唱することを遠慮していたり、歌唱する楽曲がなかなか決まらなかったりするカラオケ利用者に対して背中を押す、いわゆる「楽曲リコメンド（推奨）」に関する技術が数多く提案されている。例えば、特許文献１のように、各利用者が過去にカラオケ施設を利用した際に最初に歌唱した楽曲を記憶し、利用者がカラオケシステムにログインした後、所定時間内に楽曲の予約が無ければ、当該利用者が最初に選曲した頻度が最も高い楽曲を抽出して表示、推奨するというカラオケシステムが知られている。
【先行技術文献】
【特許文献】
【０００４】
【特許文献１】特開２００６−２０８９６３号公報
【発明の概要】
【発明が解決しようとする課題】
【０００５】
しかしながら、特許文献１のような技術は、あくまで利用者毎にログイン後の最初の歌唱曲として最適な楽曲を提案し、表示等の手段で報知するものであって、カラオケボックスのように個人やその同伴者、仲間うちで利用する施設においては有効であるが、飲食店のような面識のない利用者同士の店内においては、単に推奨曲を報知するだけでは歌唱し易い雰囲気とさせるには十分とは言い難く、実際に歌唱を促すという要望に応えるには不十分である。
【０００６】
また、これまでに知られているカラオケ歌唱推奨の技術においても、あくまで推奨内容を報知するだけであって、最終的に選曲し、カラオケ演奏が始まるかどうかは利用者の気分に委ねられて歌唱を促すという要望に応えるには不十分である。
【０００７】
そこで、本発明は上記課題に鑑みなされたもので、歌唱し易い雰囲気作りを支援するカラオケシステムを提供することを目的とする。
【課題を解決するための手段】
【０００８】
上記課題を解決するために、請求項１の発明では、カラオケ端末と、複数の利用者の歌唱に関する歌唱履歴を含む利用者情報をそれぞれの利用者ＩＤと共に記憶する記憶手段を備えるサーバとが通信可能に接続されたカラオケシステムであって、前記カラオケ端末は、利用者の利用者ＩＤを取得してログインを受け付けるログイン手段と、前記取得した利用者ＩＤに基づいて前記サーバより前記記憶手段に記憶されている当該利用者の情報を取得する利用者情報取得手段と、最初の利用者がログインした後にカラオケ演奏が実行されない無演奏状態の時間を計測する計時手段と、前記取得した利用者毎の利用者情報の歌唱履歴に基づいて、履歴内容を比較して歌唱する可能性の高い利用者を順に歌唱者とする歌唱指名順位を決定し、各利用者の歌唱した所定の楽曲を推奨曲としてそれぞれ特定すると共に、歌唱者及び推奨曲を紹介する内容を生成して再生順位リストを作成する無演奏時再生特定処理手段と、前記計時手段により無演奏状態の時間が所定時間に達した場合、前記再生順位リストに基づいて順位に従った前記歌唱者及び推奨曲を紹介する内容を報知すると共に、当該推奨曲のカラオケ演奏を開始させる報知再生処理手段と、を有する構成とする。
【０００９】
請求項２〜４の発明では、「前記サーバの備える記憶手段は、利用者情報の歌唱履歴として少なくとも各利用者の過去の歌唱に関する歌唱日時を記憶し、前記カラオケ端末の無演奏時再生特定処理手段は、前記歌唱履歴中の、各利用者の全歌唱回数、各利用者の所定期間の歌唱回数、各利用者の歌唱時刻に係る情報、の少なくともいずれかに基づいて歌唱する可能性の高い利用者を順に歌唱者とする歌唱指名順位を決定する」構成とし、
「前記サーバの備える記憶手段は、利用者情報の歌唱履歴としてさらに各利用者の過去の歌唱に関する採点結果を記憶すると共に、利用者の登録する得意曲を記憶し、前記カラオケ端末の無演奏時再生特定処理手段は、前記歌唱履歴中の、各利用者の得意曲に関する情報、楽曲毎の歌唱回数、各歌唱における採点結果、の少なくともいずれかに基づいて、前記決定した歌唱者が歌唱する前記推奨曲を特定する」構成とし、
「前記カラオケ端末は、前記無演奏時再生特定処理手段が生成した歌唱者及び推奨曲の歌唱楽曲を紹介する内容の音声信号を合成する音声合成手段を備え、当該歌唱楽曲のカラオケ演奏の開始と共に放音させる」構成とする。
【発明の効果】
【００１０】
請求項１の発明によれば、カラオケ端末にログインした利用者の歌唱履歴を含む利用者情報をサーバより取得し、各利用者の歌唱履歴に基づいて、履歴内容を比較して歌唱する可能性の高い利用者を順に歌唱者とする歌唱指名順位を決定し、各利用者の歌唱した所定の楽曲を推奨曲としてそれぞれ特定すると共に、歌唱者及び推奨曲を紹介する内容を生成して再生順位リストを作成し、最初の利用者がログインした後にカラオケ演奏が実行されない無演奏状態の時間を計測して無演奏状態の時間が所定時間に達したときに作成された再生順位リストに基づいて順位に従った歌唱者及び推奨曲を紹介する内容を報知すると共に、当該推奨曲のカラオケ演奏を開始させる構成とすることにより、報知及び再生を、歌唱する可能性が高い利用者を順番に歌唱者とし、かつその利用者が歌唱し易い楽曲を歌唱曲とすることから、面識のない利用者の集う飲食店においてカラオケ歌唱し易い雰囲気作りを支援することができるものである。
【００１１】
請求項２の発明によれば、サーバの備える記憶手段に利用者情報の歌唱履歴として少なくとも各利用者の過去の歌唱に関する歌唱日時を記憶し、歌唱履歴中の、各利用者の全歌唱回数、各利用者の所定期間の歌唱回数、各利用者の歌唱時刻に係る情報、の少なくともいずれかに基づいて歌唱する可能性の高い利用者を順に歌唱者とする歌唱指名順位を決定する構成とすることにより、歌唱する可能性が一番高い利用者を統計的に決定することとなって、当該利用者が歌唱することの可能性を高め、面識のない利用者の集う飲食店においてカラオケ歌唱し易い雰囲気作りを支援することができるものである。
【００１２】
請求項３の発明によれば、サーバの備える記憶手段に利用者情報の歌唱履歴としてさらに各利用者の過去の歌唱に関する採点結果を記憶すると共に、利用者の登録する得意曲を記憶し、歌唱履歴中の、各利用者の得意曲に関する情報、楽曲毎の歌唱回数、各歌唱における採点結果、の少なくともいずれかに基づいて、決定した歌唱者が歌唱する推奨曲を特定する構成とすることにより、決定された歌唱者となる利用者が歌唱し易い楽曲を特定することとなって、当該利用者が歌唱することの可能性を高め、面識のない利用者の集う飲食店においてカラオケ歌唱し易い雰囲気作りを支援することができるものである。
【００１３】
請求項４の発明によれば、無演奏時再生特定処理手段が生成した歌唱者及び推奨曲の歌唱楽曲を紹介する内容を音声信号を放音させる共に、当該歌唱楽曲のカラオケ演奏の開始と共に放音させる構成とすることにより、より利用者が歌唱することの可能性を高め、面識のない利用者の集う飲食店においてカラオケ歌唱し易い雰囲気作りを支援することができるものである。
【図面の簡単な説明】
【００１４】
【図１】本発明に係るカラオケシステムを構成するカラオケ端末のブロック構成図である。
【図２】カラオケシステムを構成するサーバの説明図である。
【図３】図１における計時手段の初期動作からの基本動作のフローチャートである。
【図４】図１の無演奏再生特定処理手段による再生順位リスト作成のフローチャートである。
【図５】図４の再生順位リスト作成処理の説明図である。
【図６】無演奏時再生に係る処理フローチャートである。
【図７】歌唱紹介表示の一例の説明図である。
【発明を実施するための形態】
【００１５】
以下、本発明の実施形態を図により説明する。
図１に、本発明に係るカラオケシステムを構成するカラオケ端末のブロック構成図を示す。図１において、カラオケ端末１１は、主要装置としてのカラオケ本体１２に、有線又は無線で外部接続されるものとして、表示部１３、ミキシングアンプ１４、マイク１５、スピーカ１６、遠隔入出力装置１７が接続されることで構成される。
【００１６】
上記表示部１３は、通常の楽曲選曲表示やカラオケ演奏時の背景映像や、後述する歌唱を推奨する報知内容を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号や、後述する音声合成手段３５からの合成された音声信号をミキシングし、増幅してスピーカ１６より出力する。
【００１７】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、楽曲検索手段である選曲楽曲登録手段１７Ｂ及びリモコン表示部１７Ｃを適宜備える。
【００１８】
上記ログイン・ログアウト処理手段１７Ａは、利用者によるログイン操作に応じて当該利用者より利用者名や利用者ＩＤを取得し、ＲＡＭ２３に利用者情報４２として記憶してログインを許可する処理を行うと共に、ログアウト操作に応じて利用終了の処理を行うプログラムである。
【００１９】
上記選曲楽曲登録手段１７Ｂは、リモコン表示部１７ＣのＧＵＩ機能により、楽曲ＩＤや曲名、アーチスト名などのデータからなるテーブルに基づいて、利用者が所望する楽曲を検索させ、選曲された楽曲の楽曲ＩＤをカラオケ本体１２に送信するプログラムである。送信された楽曲ＩＤは、カラオケ本体１２におけるＲＡＭ２３の予約待ち行列４１に登録される。
【００２０】
上記リモコン表示部１７Ｃは、ログイン・ログアウト時の操作画面、楽曲選曲の操作画面、後述する歌唱を推奨する報知内容を表示するもので、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２１】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７Ａ，２７Ｂ、採点手段２８、Ａ／Ｄ変換部２９、記憶部３０、利用者情報取得手段３１、計時手段３２、無演奏時再生特定処理手段３３、報知再生処理手段３４及び音声合成手段３５を備える。
【００２２】
上記ＲＡＭ２３には予約待ち行列４１、利用者情報４２及び再生順位リスト４３の記憶領域が形成される。また、記憶部３０には、楽曲データベース（楽曲ＤＢ）５１、映像データベース（映像ＤＢ）５２及びリファレンスデータベース（リファレンスＤＢ）５３が記憶される。なお、上記各構成について、本発明の要旨と直接関連しない要素部分であっても、従前のカラオケシステムにおいても大部分が適用可能であることを示すために、構成要素の全体を説明する。
【００２３】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２及び再生順位リスト４３の記憶領域が形成される他に、上記種々のプログラムを展開、実行させるための作業領域としての役割をなすもので、例えば半導体メモリで構成され、仮想的にハードディスク上に構築される場合をも含む概念である。
【００２４】
ＲＡＭ２３に記憶される上記利用者情報４２は、ログイン時に取得した利用者ＩＤや利用者情報取得手段３１がサーバ６２より取得した当該利用者ＩＤに関連した情報であり、歌唱履歴を含む（図２で説明する）。ＲＡＭ２３に記憶される再生順位リスト４３は、後述する無演奏時再生特定処理手段３３が作成した歌唱推奨のための順位等を定めて作成したリストである。
【００２５】
上記映像表示制御手段２４は、演奏時に、映像ＤＢ５２より抽出された背景映像及び楽曲ＤＢ５１より抽出された楽曲の歌詞データ、並びに報知再生処理手段３４で生成された歌唱推奨内容文を表示部１３に出力するプログラム乃至電子回路である。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。
【００２６】
上記採点手段２８は、対象楽曲のリファレンスデータを記憶部３０に記憶されたリファレンスＤＢ５３より読み出し、利用者による歌唱音声のピッチを検出して対象楽曲の主旋律のリファレンスデータの各音高と比較することにより採点するもので、マイク１５から入力されＡ／Ｄ変換部２９でデジタル変換された音声信号を、歌唱採点するためのリファレンスデータに基づいて採点処理を行うプログラムである。具体的には、例えば特許第４２２２９１５号公報に記載されている手法を用いることができる。採点手段２８による採点結果は、後述するように、送受信部２７Ｂ及びネットワーク６１を介してサーバ６２に送信され、利用者情報更新手段７４によりサーバ６２の利用者情報データベース７５に蓄積される。
【００２７】
上記送受信部２７Ａは、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２７Ｂは、カラオケ本体１２とサーバ６２とが通信ネットワーク６１を介してデータ授受を行うための物理的な通信用回路やプラットフォーム等のソフトウエアにより構成されるものである。
【００２８】
上記記憶部３０に記憶されている楽曲ＤＢ５１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部３０に記憶されている映像ＤＢ５２は、楽曲毎に応じた背景映像データについて楽曲ＩＤをファイル名としてそれぞれ格納したデータベースである。
【００２９】
上記記憶部３０に記憶されているリファレンスＤＢ５３は、楽曲ごとの主旋律のリファレンスデータであって、上記楽曲ＤＢ５１に記憶されているカラオケ楽曲と当該カラオケ楽曲の歌唱区間に合わせた歌唱者による歌唱を評価、分析するための評価基準として用いられるリファレンスデータとを紐付けて記憶するデータベースである。
【００３０】
上記利用者情報取得手段３１は、ログインにより取得した利用者ＩＤに基づいて対応の利用者情報を送受信部２７Ｂ、通信ネットワーク６１を介してサーバ６２に要求し、当該サーバ６２より図２で説明する記憶手段である利用者情報データベース７５（利用者情報ＤＢ７５）に記憶されている当該利用者の歌唱履歴を含む情報を取得し、利用者ＩＤに関連付けてＲＡＭ２３に利用者情報４２として一時記憶するプログラムである。
【００３１】
上記計時手段３２は、最初の利用者がログインした後にカラオケ演奏が実行されない無演奏状態の時間を計測し、予め設定された時間（例えば２０分）に達した時に信号を報知再生処理手段３４に送出するプログラムであり、中央制御部２１の備える基本クロックに基づいて計時する。なお、計時手段３２において単に時間計測だけを実行させ、計測時間を報知再生処理手段３４が予め設定した所定時間に達したかを監視することとしてもよい。
【００３２】
上記無演奏時再生特定処理手段３３は、サーバ６２より取得したＲＡＭ２３に記憶されている利用者毎の利用者情報４２の歌唱履歴に基づいて、履歴内容を比較して歌唱する可能性の高い利用者を順に歌唱者とする歌唱指名順位を決定し、各利用者の歌唱した所定の楽曲を推奨曲としてそれぞれ特定すると共に、歌唱者及び推奨曲を紹介する内容を生成してリストを作成し、ＲＡＭ２３に再生順位リスト４３として記憶するプログラムである。歌唱者及び推奨曲を紹介する内容は、一例として、予め歌唱紹介文のパターンを定めて歌唱者及び推奨曲を当て嵌めることで生成する。
【００３３】
具体的には、利用者情報４２の歌唱履歴として少なくとも各利用者の過去の歌唱に関する歌唱日時が含まれ、当該歌唱履歴中の、各利用者の全歌唱回数、各利用者の所定期間の歌唱回数、各利用者の歌唱時刻に係る情報、の少なくともいずれかに基づいて歌唱する可能性の高い利用者を順に歌唱者とする歌唱指名順位を決定する。また、利用者情報の歌唱履歴としてさらに各利用者の過去の歌唱に関する採点結果が含まれると共に、利用者の登録する得意曲が含まれ、当該歌唱履歴中の、各利用者の得意曲に関する情報、楽曲毎の歌唱回数、各歌唱における採点結果、の少なくともいずれかに基づいて、決定した歌唱者が歌唱する推奨曲を特定する。なお、詳細は図４及び図５で説明する。
【００３４】
上記報知再生処理手段３４は、計時手段３２により無演奏状態の時間が所定時間に達した場合、ＲＡＭ２３より再生順位リスト４３を読み出し、当該再生順位リスト４３に基づいて順位に従った歌唱者及び推奨曲を紹介する内容を映像表示制御手段２４より表示部１３や、適宜遠隔入出力装置１７のリモコン表示部１７Ｃに表示させて報知すると共に、当該推奨曲の歌唱楽曲（楽曲ＩＤ）を楽曲ＤＢ５１より読み出して音楽演奏制御部２５で再生処理させて音源２６を介してミキシングアンプ１４に出力させ、また、上記生成した歌唱者及び推奨曲を紹介する内容の歌唱紹介文を音声合成手段３５で音声合成させてミキシングアンプ１４に出力させることでカラオケ演奏を開始させるプログラムである。
【００３５】
上記音声合成手段３５は、無演奏時再生特定処理手段３３が生成した歌唱者及び推奨曲の歌唱楽曲を紹介する内容の歌唱紹介文の音声信号を合成してミキシングアンプ１４に出力するプログラムである。なお、上記歌唱紹介文を放音させないこととしてもよく、この場合には音声合成手段３５は不要となるが、当該音声合成手段３５を処理無効に設定するものでもよい。
【００３６】
また、図２に、カラオケシステムを構成するサーバの説明図を示す。図２（Ａ）において、サーバ６２は、インターネットなどの通信ネットワーク６１を介して端末としての所定数のカラオケ端末１１（１１Ａ〜１１Ｎ）を管理し、当該各カラオケ端末１１に対する楽曲データの配信や各種データを送受すると共に、少なくとも何れかのカラオケ端末１１からの要求に応じて利用者情報を送信する装置である。
【００３７】
サーバ６２は、図２（Ｂ）に示すように、少なくとも制御部７１、ネットワーク送受信部７２、利用者情報抽出手段７３、利用者情報更新手段７４及び記憶手段としての利用者情報データベース７５（利用者情報ＤＢ７５）を備える。上記制御部７１は、当該サーバ６２を統括的に制御する物理的なＣＰＵであり、図示しないＲＯＭに格納されているプログラムを実行処理して統括的な処理を行う。
【００３８】
上記ネットワーク送受信部７２は、各カラオケ端末１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。
【００３９】
上記利用者情報抽出手段７３は、所定のカラオケ端末１１より利用者ＩＤに基づいて対応の利用者情報の要求があった時に、利用者情報ＤＢ７５より対応の少なくとも歌唱履歴を含む利用者情報を抽出して対応のカラオケ端末１１に送信するプログラムである。
【００４０】
上記利用者情報更新手段７４は、各カラオケ端末１１より送られてくる利用者ＩＤに関連付けられた新たな歌唱履歴を含む利用者情報に基づいて利用者ＤＢ７５の該当情報を更新するプログラムである。
【００４１】
上記利用者情報ＤＢ７５は、利用者の利用者ＩＤと属性情報とが関連付けられた顧客情報を格納する記憶装置である。その属性情報としては、図２（Ｃ）に示すように、図示しない氏名、住所等の書誌的な情報の他に、当該利用者のセカンドネーム、利用者が登録した例えば自己の得意ないわゆる十八番楽曲（得意楽曲）、歌唱履歴を少なくとも含む。当該歌唱履歴は、利用日、歌唱時間、歌唱楽曲（楽曲ＩＤ）及び歌唱採点を含んだ過去の情報である。なお、上記十八番楽曲の情報を利用者自ら登録させた場合としたが、歌唱採点や歌唱回数に応じて処理プログラムにより自動的に設定してもよい。
【００４２】
次に、図３に、図１における計時手段の初期動作からの基本動作のフローチャートを示す。図３において、まず、カラオケ端末１１に電源が投入され、最初に利用者がログイン要求するまで待機する（ステップ１（Ｓ１））。利用者による例えば遠隔入出力装置１７を用いたログイン要求があるとログイン・ログアウト処理手段１７Ａのログイン処理が開始され、利用者ＩＤの要求に対して当該利用者より利用者ＩＤを取得し、当該利用者ＩＤを一旦ＲＡＭ２３の利用者情報４２に記憶する（Ｓ２）。
【００４３】
利用者情報取得手段３１が、記憶した利用者ＩＤに基づいて、サーバ６２に対して当該利用者の書誌的情報、得意楽曲情報及び歌唱履歴を含む利用者情報を要求すると共に、計時手段３２が時間計測を開始する（Ｓ３）。なお、計時手段３２における時間計測初期開始以降の詳細については図６で説明する。
【００４４】
サーバ６２では、所定のカラオケ端末１１より利用者ＩＤに基づいて利用者情報の要求があると、利用者情報抽出手段７３が利用者情報ＤＢ７５より利用者情報（氏名、セカンドネーム、得意楽曲（楽曲ＩＤ）、歌唱履歴）を抽出して、対応のカラオケ端末１１に送受信部７２、通信ネットワーク６１を介して送信する。そして、カラオケ端末１１の利用者情報取得手段３１がサーバ６２より上記利用者情報を取得すると、ＲＡＭ２３に利用者情報４２として利用者ＩＤに関連付けて一旦記憶するものである。
【００４５】
続いて、図４に図１の無演奏再生特定処理手段による再生順位リスト作成のフローチャートを示すと共に、図５に図４の再生順位リスト作成処理の説明図を示す。無演奏時再生特定処理手段３３の処理の開始は、利用者のログイン毎に実行するものであるが（一人だけのログインであっても処理を開始し、この場合の再生順位リスト４３には一人だけのリストとなる）、複数のログイン者を待って実行することとしてもよい（この場合であっても後にログイン者があればその都度実行する）。ここは、一例として４名の利用者Ａ〜Ｄ（利用者ＩＤ：ＩＤ−ＡＡ、ＩＤ−ＢＢ、ＩＤ−ＣＣ、ＩＤ−ＤＤ）が順次ログインし、各利用者の利用者情報がＲＡＭ２３の利用者情報４２に記憶された場合として説明する。
【００４６】
無演奏時再生特定処理手段３３は、利用者のログイン毎による利用者情報の記憶を契機として、記憶されている総ての利用者における利用者情報の歌唱履歴に基づいて、ログイン中の各利用者の直近１ヶ月内の歌唱回数、全歌唱回数のうち、現在の時間帯（例えば２０：００〜２１：００）に歌唱された回数の割合をスコアリングしてスコア順の歌唱者指名順位を決定する（Ｓ１１）。具体的には、図５（Ａ）に示すように、全歌唱回数（Ｔ）と、当該全歌唱回数（Ｔ）のうちの上記時間帯の歌唱回数（ｔｔ）とから当該時間帯の歌唱割合（Ｎ＝ｔｔ／Ｔ）を算出し、さらに直近１ヶ月の歌唱回数（ｔ１）と上記時間帯の歌唱割合（Ｎ）とからスコア（Ｓｃ＝ｔ１＊Ｎ）をスコアリングする。
【００４７】
そこで、４名のログイン中の利用者のうち、スコア（Ｓｃ）が一番高い（１５．０）ＩＤ−ＣＣに対応する利用者Ｃを、「いま最も歌唱しそうな歌唱者」と決定し、以下スコア順に順位を決定する。
【００４８】
次に、利用者Ｃの利用者情報４２の得意楽曲（楽曲ＩＤ）に基づいて、利用者Ｃの一の得意曲（複数存在する場合にはランダムに選択）を「利用者Ｃが最も歌唱しそうな楽曲」として特定し、当該得意曲の楽曲ＩＤ（ＳＩＤ−ＸＸ）を決定された順位の歌唱者（利用者ＩＤ）に付帯させ、以下スコア順に各利用者の得意曲の楽曲ＩＤを決定して各歌唱者（利用者ＩＤ）に付帯させる（Ｓ１２）。
【００４９】
そして、利用者Ｃの登録名の例えばニックネーム（本名でもよい）及び楽曲（ＳＩＤ−ＸＸ）の曲名を織り込んだ歌唱紹介文を生成すると共に、以下スコア順に各利用者の曲名を織り込んだ歌唱紹介文を生成して、図５（Ｂ）に示すような再生順位リストを作成してＲＡＭ２３の再生順位リスト４３として記憶するものである（Ｓ１３）。
【００５０】
なお、再生順位リスト４３を作成するにあたり、最も歌唱しそうな歌唱者の順位は、単純に「全歌唱回数」などの一項目のみに基づいて決定してもよく、上記のように複数の項目を組み合せてスコアリングしてもよい。また、最も歌唱しそうな楽曲は、当該歌唱者の利用者情報から、歌唱回数の最も多かった楽曲、採点結果（平均点）が最も良かった楽曲などの情報に基づいて決定してもよい。
【００５１】
このように作成された再生順位リスト４３は、歌唱対象とされる利用者が、順位付けに従って順次指名されるので、仮に同じ時間帯に複数回実行されても同じ利用者が指名されることはなく、また、時間帯が変わると順位付けも変わることから、同じ利用者が最初に指名される可能性は小さくなる。
【００５２】
そこで、図６に無演奏時再生に係る処理フローチャートを示すと共に、図７に歌唱紹介表示の一例の説明図を示す。ここでは、無演奏時再生特定処理手段３３において再生順位リスト４３が作成されてＲＡＭ２３に記憶されたことを前提とし、計時手段３２の時間計測初期開始から、すなわち最初の利用者がログインしてからのカラオケ端末１１の動作として説明する。
【００５３】
図６において、計時手段３２において計時動作が開始され（Ｓ２１）、ログインした利用者による楽曲の予約登録があるまでは時間計測が続行される（Ｓ２２）。この続行されている間がカラオケ端末１１における無演奏の状態のときである。計時手段３２による時間計測が続行されて予め定めた時間（２０分）が経過すると（Ｓ２３）、報知再生処理手段３４がＲＡＭ２３より利用者のログイン毎に作成された再生順位リスト４３を読み出し、当該再生順位リスト４３より順番で対象利用者、楽曲ＩＤ、歌唱紹介文を特定する（Ｓ２４）。
【００５４】
特定した楽曲ＩＤに基づき、楽曲ＤＢ５１より対応の楽曲データを読み出して音楽演奏制御部２５で再生処理を行わせて放音させると共に、特定した歌唱紹介文を映像表示制御部２４に出力して表示部１３で表示させる（遠隔入出力装置１７に出力してリモコン表示部１７Ｃにおいても表示させてもよい）。同時に、特定した歌唱紹介文を音声合成手段３５により音声合成させた音声信号をミキシングアンプ１４に出力させる（Ｓ２５）。
【００５５】
これによって、例えば歌唱紹介文「□□□さんがよく歌う「◆◆◆◆◆◆◆」の曲です  歌いましょう」のような表示を、表示部１３や遠隔入出力装置１７のリモコン表示部１７Ｃに、図７（Ａ）、（Ｂ）のように表示されると共に、スピーカ１６よりカラオケ演奏曲及び上記歌唱紹介文を朗読した音声がミキシングされて放音される。上記推奨のカラオケ演奏曲の再生が終了した場合には、計時手段３２における時間計測はリセットされて（Ｓ２７）時間計測が開始される（Ｓ２１）。
【００５６】
一方、何れかの利用者による楽曲の予約登録があると（Ｓ２２）、ＲＡＭ２３の予約待ち行列４１に登録された楽曲を再生し（Ｓ２６）、計時手段３２における時間計測は中止されてリセットされ、計時手段３２による時間計測が開始される（Ｓ２１）。
【００５７】
なお、本実施形態においては、順位リスト４３を作成する際に歌唱時間帯による歌唱割合を参照しているので、同じ時間帯において再び無演奏の状態が続行し計時手段３２による時間計測が続行されて予め定めた時間が経過した場合には、再生順位リスト４３の次の順位の歌唱対象利用者について同様の処理を行うことが望ましい。また、時間帯が変わった場合（２１：００を超えた場合）には、ログイン中の利用者について順位リスト４３を作成し直すことが望ましい。一方、歌唱時間帯による歌唱割合を参照せずに順位リスト４３を作成する場合には、時間帯毎に順位リスト４３を作成し直す必要はない。
【００５８】
また、本実施形態においては、利用者のログイン毎にログイン中の利用者の順位を決定するとともに、各利用者の得意曲の楽曲ＩＤを決定し歌唱紹介文を生成して再生順位リスト４３に含めたが、再生順位リスト４３は利用者ＩＤによる順位の情報のみとし、計時手段３２により予め定めた時間の経過が計測された際に、報知再生処理手段３４において各利用者の得意曲の楽曲ＩＤを決定し歌唱紹介分を生成するよう構成してもよい。
【００５９】
ところで、本発明は、特にナイト店と称される夜間営業の飲食店で有用な発明であるが、そのような飲食店に設置されるカラオケ装置においては、歌唱１曲毎に歌唱者（利用者）に課金する手段を備えたものもある。本実施形態のように、カラオケ装置が自動的に歌唱する利用者及び歌唱曲を決定する場合には、当該利用者に対しては通常より安い料金の課金で済ます、あるいは全く課金しないなどのサービスを実施するように、報知再生処理手段３４が上記課金の手段を制御してもよい。このようなサービスを実施することにより、当該利用者はより納得し易くなるものである。
【００６０】
このように、歌唱する可能性が高い利用者を統計的に順位付けして決定し、歌唱者として当該利用者が最も歌唱し易い楽曲を歌唱曲（推奨曲）として順次紹介する再生順位リストを作成し、無演奏時に順番で報知することはもちろん、対象となった利用者が歌唱し易い楽曲のカラオケ演奏をも開始させることから、面識のない利用者の集う飲食店においてカラオケ歌唱し易い雰囲気作りを支援することができるものであり、特に最初の１曲目であっても当該利用者が歌唱してくれる可能性が高く、前触れもなくカラオケ演奏を開始しても当該利用者は機械（カラオケ端末）が決める事として納得し易いというものである。
【００６１】
また、歌唱者及び歌唱楽曲（推奨曲）を紹介する内容を音声信号に合成して放音させることから、より利用者が歌唱することの可能性を高め、面識のない利用者の集う飲食店においてカラオケ歌唱し易い雰囲気作りを支援することができるものである。
【産業上の利用可能性】
【００６２】
本発明のカラオケシステムは、カラオケの基本的機能を備えるカラオケ端末、カラオケ用のサーバの製造、使用等の産業に利用可能である。
【符号の説明】
【００６３】
１１            カラオケ端末
１２            カラオケ本体
１７            遠隔入出力装置１７
１７Ａ          ログイン・ログアウト処理手段
２３            ＲＡＭ
３０            記憶部
３１            利用者情報取得手段
３２            計時手段
３３            無演奏時再生特定処理手段
３４            報知再生処理手段
３５            音声合成手段
４３            再生順位リスト
６２            サーバ
７４            利用者情報抽出手段
７５            利用者情報データベース
【図１】
0006504805.tif 000002
【図２】
0006504805.tif 000003
【図３】
0006504805.tif 000004
【図４】
0006504805.tif 000005
【図５】
0006504805.tif 000006
【図６】
0006504805.tif 000007
【図７】
0006504805.tif 000008